(57)【特許請求の範囲】
【請求項１】
特定消費商品が消費される特定スペースで一般消費者に所定サービスを提供するためのデータ処理システムであって、
前記特定スペースで前記特定消費商品の商品ＩＤ（Identity）データを取得する商品読取部と、
複数種類の前記商品ＩＤデータごとにデジタルコンテンツを記憶するコンテンツ記憶部と、
前記特定スペースに前記デジタルコンテンツを出力するコンテンツ出力部と、
前記特定スペースで前記一般消費者に消費される前記特定消費商品の特定温度を検出する温度検出部と、
取得された前記商品ＩＤデータに対応した前記デジタルコンテンツを前記特定温度の検出に対応して前記コンテンツ出力部に出力させる出力制御部と、
を有するデータ処理システム。
【請求項２】
前記商品ＩＤデータは、前記特定消費商品に表記されている商品バーコードに記録されており、
前記商品読取部は、前記商品バーコードを読取走査するバーコードリーダを有する請求項１に記載のデータ処理システム。
【請求項３】
前記商品ＩＤデータは、前記特定消費商品に貼付されているＲＦＩＤ（Radio Frequency Identification）チップに記録されており、
前記商品読取部は、前記ＲＦＩＤチップから前記商品ＩＤデータを取得するＲＦＩＤリーダからなる請求項１に記載のデータ処理システム。
【請求項４】
前記出力制御部は、前記特定温度の検出時間を測定し、測定された前記検出時間と取得された前記商品ＩＤデータとの組み合わせに対応して前記デジタルコンテンツを前記コンテンツ出力部に出力させる請求項１ないし３の何れか一項に記載のデータ処理システム。
【請求項５】
取得された前記商品ＩＤデータごとに前記特定温度の検出時間を測定して集計する時間集計部を、さらに有する請求項１ないし４の何れか一項に記載のデータ処理システム。
【請求項６】
前記コンテンツ記憶部は、出力時間が相違する複数のデジタルコンテンツを記憶し、
前記出力制御部は、集計された前記検出時間に対応した前記出力時間の前記デジタルコンテンツを選択的に前記コンテンツ出力部に出力させる請求項５に記載のデータ処理システム。
【請求項７】
前記温度検出部は、前記特定消費商品の複数の前記特定温度を検出し、
前記出力制御部は、検出される複数の前記特定温度と取得された前記商品ＩＤデータとの組み合わせに対応して前記デジタルコンテンツを前記コンテンツ出力部に出力させる請求項１ないし６の何れか一項に記載のデータ処理システム。
【請求項８】
前記温度検出部は、前記特定温度に検出感度が対応しているＩＲ（infrared）センサを有する請求項１ないし７の何れか一項に記載のデータ処理システム。
【請求項９】
前記特定消費商品は、タバコからなり、
前記特定スペースは、喫煙スペースからなり、
前記温度検出部は、前記タバコの少なくとも燃焼時の前記特定温度を検出する請求項１ないし８の何れか一項に記載のデータ処理システム。
【請求項１０】
前記温度検出部が検出する前記特定温度により前記特定スペースでの火災発生を判定する火災判定部を、さらに有する請求項９に記載のデータ処理システム。
【請求項１１】
特定消費商品が消費される特定スペースで一般消費者に所定サービスを提供するためのデータ処理システムのコンピュータプログラムであって、
前記特定スペースに設置されているＩＤ取得デバイスから前記特定消費商品の商品ＩＤデータを取得する商品読取処理と、
複数種類の前記商品ＩＤデータごとにデジタルコンテンツを記憶するコンテンツ記憶処理と、
前記特定スペースに設置されているコンテンツ出力デバイスに前記デジタルコンテンツを出力するコンテンツ出力処理と、
前記特定スペースで前記一般消費者に消費される前記特定消費商品の特定温度を検出する温度検出処理と、
取得された前記商品ＩＤデータに対応した前記デジタルコンテンツを前記特定温度の検出に対応して前記コンテンツ出力処理で出力させる出力制御処理と、
を前記データ処理システムに実行させるコンピュータプログラム。
【請求項１２】
特定消費商品が消費される特定スペースで一般消費者に所定サービスを提供するためのデータ処理システムのデータ処理方法であって、
前記特定スペースに設置されているＩＤ取得デバイスから前記特定消費商品の商品ＩＤデータを取得する商品読取工程と、
複数種類の前記商品ＩＤデータごとにデジタルコンテンツを記憶するコンテンツ記憶工程と、
前記特定スペースに設置されているコンテンツ出力デバイスに前記デジタルコンテンツを出力するコンテンツ出力工程と、
前記特定スペースで前記一般消費者に消費される前記特定消費商品の特定温度を検出する温度検出工程と、
取得された前記商品ＩＤデータに対応した前記デジタルコンテンツを前記特定温度の検出に対応して前記コンテンツ出力工程で出力させる出力制御工程と、
を有するデータ処理方法。
【発明の詳細な説明】
【技術分野】
【０００１】
本発明は、特定スペースで一般消費者に所定サービスを提供するためのデータ処理システムに関し、特に、特定温度を発生する特定消費商品が消費される特定スペースで利用されるデータ処理システム、そのコンピュータプログラムおよびデータ処理方法、に関する。
【背景技術】
【０００２】
現在、各所に喫煙スペースが用意されている。しかし、現在の喫煙スペースは、タバコ喫煙のみを目的とした隔離エリアでしかない。このため、一般的に喫煙者は手持ちぶさたである。
【０００３】
そこで、本出願人が過去に出願したデータ処理システムでは、喫煙スペースにコンテンツ出力部を設置しておき、一般消費者に広告データを提供する(例えば、特許文献１参照)。
【特許文献１】特開２００４−１２６３７３号公報
【特許文献２】特開２００３−３３０３９６号公報
【発明の開示】
【発明が解決しようとする課題】
【０００４】
特許文献１の技術では、日常的ではない特別な広告データを喫煙スペースで一般消費者に提供することができる。しかし、広告は提供する企業には重要であるが、視聴する一般ユーザに積極的に興味を持たせることは困難である。
【０００５】
特に、喫煙者は喫煙スペースを毎日のように繰り返し利用する可能性がある。このような場合、喫煙スペースを利用する一般消費者は同一のコンテンツを繰り返し視聴することになる。従って、喫煙者が興味を継続するようなサービスを提供することは困難である。
【０００６】
上述のように特定スペースで提供するコンテンツへの興味を強化するため、例えば、一般消費者の入場に連動してコンテンツを提供するシステムなどがある。しかし、これは一般消費者の入場を検知するとコンテンツの出力を開始しているだけであり、やはり良好な訴求効果は期待できない。
【０００７】
特に、上述のように特定スペースで一般消費者に一方的にコンテンツを提供しても、そのコンテンツに一般消費者が興味を持つ可能性は低い。このため、特定スペースで特定消費商品を消費する一般消費者に、訴求効果のあるサービスを提供することが困難である。
【０００８】
本発明は上述のような課題に鑑みてなされたものであり、一般消費者に特定スペースでの特定消費商品の消費に対応して効果的なサービスを提供することができるデータ処理システムを提供するものである。
【課題を解決するための手段】
【０００９】
本発明のデータ処理システムは、特定消費商品が消費される特定スペースで一般消費者に所定サービスを提供するためのデータ処理システムであって、特定スペースで特定消費商品の商品ＩＤデータを取得する商品読取部と、複数種類の商品ＩＤデータごとにデジタルコンテンツを記憶するコンテンツ記憶部と、特定スペースにデジタルコンテンツを出力するコンテンツ出力部と、特定スペースで一般消費者に消費される特定消費商品の特定温度を検出する温度検出部と、取得された商品ＩＤデータに対応したデジタルコンテンツを特定温度の検出に対応してコンテンツ出力部に出力させる出力制御部と、を有する。
【００１０】
従って、本発明のデータ処理システムでは、特定スペースで一般消費者の特定消費商品から商品読取部で商品ＩＤデータを取得するとともに、特定スペースで一般消費者に消費される特定消費商品の特定温度を温度検出部で検出する。コンテンツ記憶部には複数種類の商品ＩＤデータごとにデジタルコンテンツが記憶されており、取得された商品ＩＤデータに対応したデジタルコンテンツを特定温度の検出に対応して出力制御部がコンテンツ出力部に出力させる。このため、例えば、いわゆる紙巻タバコが特定消費商品として一般消費者により特定スペースである喫煙スペースで喫煙されるようなときに、タバコ銘柄に対応したデジタルコンテンツを喫煙行為に連動して出力するようなことができる。
【００１１】
また、本発明のデータ処理システムにおいて、商品ＩＤデータは、特定消費商品に表記されている商品バーコードに記録されており、商品読取部は、商品バーコードを読取走査するバーコードリーダを有してもよい。
【００１２】
また、本発明のデータ処理システムにおいて、商品ＩＤデータは、特定消費商品に貼付されているＲＦＩＤチップに記録されており、商品読取部は、ＲＦＩＤチップから商品ＩＤデータを取得するＲＦＩＤリーダからなってもよい。
【００１３】
また、本発明のデータ処理システムにおいて、出力制御部は、特定温度の検出時間を測定し、測定された検出時間と取得された商品ＩＤデータとの組み合わせに対応してデジタルコンテンツをコンテンツ出力部に出力させてもよい。
【００１４】
また、本発明のデータ処理システムにおいて、取得された商品ＩＤデータごとに特定温度の検出時間を測定して集計する時間集計部を、さらに有してもよい。
【００１５】
また、本発明のデータ処理システムにおいて、コンテンツ記憶部は、出力時間が相違する複数のデジタルコンテンツを記憶し、出力制御部は、集計された検出時間に対応した出力時間のデジタルコンテンツを選択的にコンテンツ出力部に出力させてもよい。
【００１６】
また、本発明のデータ処理システムにおいて、温度検出部は、特定消費商品の複数の特定温度を検出し、出力制御部は、検出される複数の特定温度と取得された商品ＩＤデータとの組み合わせに対応してデジタルコンテンツをコンテンツ出力部に出力させてもよい。
【００１７】
また、本発明のデータ処理システムにおいて、温度検出部は、特定温度に検出感度が対応しているＩＲセンサを有してもよい。
【００１８】
また、本発明のデータ処理システムにおいて、特定消費商品は、タバコからなり、特定スペースは、喫煙スペースからなり、温度検出部は、タバコの少なくとも燃焼時の特定温度を検出してもよい。
【００１９】
また、本発明のデータ処理システムにおいて、温度検出部が検出する特定温度により特定スペースでの火災発生を判定する火災判定部を、さらに有してもよい。
【００２０】
本発明のコンピュータプログラムは、特定消費商品が消費される特定スペースで一般消費者に所定サービスを提供するためのデータ処理システムのコンピュータプログラムであって、特定スペースに設置されているＩＤ取得デバイスから特定消費商品の商品ＩＤデータを取得する商品読取処理と、複数種類の商品ＩＤデータごとにデジタルコンテンツを記憶するコンテンツ記憶処理と、特定スペースに設置されているコンテンツ出力デバイスにデジタルコンテンツを出力するコンテンツ出力処理と、特定スペースで一般消費者に消費される特定消費商品の特定温度を検出する温度検出処理と、取得された商品ＩＤデータに対応したデジタルコンテンツを特定温度の検出に対応してコンテンツ出力処理で出力させる出力制御処理と、をデータ処理システムに実行させる。
【００２１】
本発明のデータ処理方法は、特定消費商品が消費される特定スペースで一般消費者に所定サービスを提供するためのデータ処理システムのデータ処理方法であって、特定スペースに設置されているＩＤ取得デバイスから特定消費商品の商品ＩＤデータを取得する商品読取工程と、複数種類の商品ＩＤデータごとにデジタルコンテンツを記憶するコンテンツ記憶工程と、特定スペースに設置されているコンテンツ出力デバイスにデジタルコンテンツを出力するコンテンツ出力工程と、特定スペースで一般消費者に消費される特定消費商品の特定温度を検出する温度検出工程と、取得された商品ＩＤデータに対応したデジタルコンテンツを特定温度の検出に対応してコンテンツ出力工程で出力させる出力制御工程と、を有する。
【００２２】
なお、本発明の各種の構成要素は、その機能を実現するように形成されていればよく、例えば、所定の機能を発揮する専用のハードウェア、所定の機能がコンピュータプログラムにより付与されたデータ処理システム、コンピュータプログラムによりデータ処理システムに実現された所定の機能、これらの任意の組み合わせ、等として実現することができる。
【００２３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２４】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００２５】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【発明の効果】
【００２６】
本発明のデータ処理システムでは、特定スペースで一般消費者の特定消費商品から商品読取部で商品ＩＤデータを取得するとともに、特定スペースで一般消費者に消費される特定消費商品の特定温度を温度検出部で検出する。コンテンツ記憶部には複数種類の商品ＩＤデータごとにデジタルコンテンツが記憶されており、取得された商品ＩＤデータに対応したデジタルコンテンツを特定温度の検出に対応して出力制御部がコンテンツ出力部に出力させる。このため、例えば、いわゆる紙巻タバコが特定消費商品として一般消費者により特定スペースである喫煙スペースで喫煙されるようなときに、タバコ銘柄に対応したデジタルコンテンツを喫煙行為に連動して出力するようなことができる。従って、一般消費者に特定消費商品ごとの所定サービスを特定スペースでの消費行為ごとに効果的に提供することができる。
【発明を実施するための最良の形態】
【００２７】
本発明の実施の一形態を図面を参照して以下に説明する。本実施の形態のデータ処理システム１００は、特定消費商品である紙巻タバコＰＴが消費される特定スペースである喫煙スペースＳＳで、一般消費者に所定サービスを提供するために利用される。
【００２８】
このため、本実施の形態のデータ処理システム１００は、図１等に示すように、喫煙スペースＳＳで紙巻タバコＰＴの商品ＩＤデータを取得する商品読取部１７０と、複数種類の商品ＩＤデータごとにデジタルコンテンツＤＣを記憶するコンテンツ記憶部１１０と、喫煙スペースＳＳにデジタルコンテンツＤＣを出力するコンテンツ出力部１２０と、喫煙スペースＳＳで一般消費者に消費される紙巻タバコＰＴの特定温度を検出する温度検出部であるサーモグラフィ１３０と、取得された商品ＩＤデータに対応したデジタルコンテンツＤＣを特定温度の検出に対応してコンテンツ出力部１２０に出力させる出力制御部１４０と、取得された商品ＩＤデータごとに特定温度の検出時間を測定して集計する時間集計部１５０と、を有する。
【００２９】
より具体的には、本実施の形態のデータ処理システム１００が適用される喫煙スペースＳＳは、例えば、建物に用意された一室などからなる。図２に示すように、その喫煙スペースＳＳには複数の座席ＰＳが用意されており、その座席ＰＳごとに、コンテンツ出力デバイスであるディスプレイデバイス１２１と、ＩＤ取得デバイスであるバーコードリーダ１７１と、が設置されている。
【００３０】
ディスプレイデバイス１２１は、例えば、いわゆるベールビューＬＣＤ（Liquid Crystal Display）などの、視野角が所定範囲に限定されている狭視野角ディスプレイからなる。
【００３１】
そして、相互に対応している座席ＰＳとディスプレイデバイス１２１とは、ディスプレイデバイス１２１の視野角に座席ＰＳが配置されているとともに、座席ＰＳに着席した一般消費者の視認範囲にディスプレイデバイス１２１が配置されている。
【００３２】
さらに、相互に対応していない座席ＰＳとディスプレイデバイス１２１とは、ディスプレイデバイス１２１の視野角の外側に座席ＰＳが配置されているとともに、座席ＰＳに着席した一般消費者の視認範囲の外側にディスプレイデバイス１２１が配置されている。
【００３３】
ＩＲセンサ１３１は、例えば、全部の座席ＰＳを撮像できる喫煙スペースＳＳの天井などに設置されている。紙巻タバコＰＴは、当然ながら燃焼することで消費される。そこで、サーモグラフィ１３０は、ＩＲセンサ１３１、ドライバ回路１３２、画像処理部１３３、光学フィルタ１３４、等を有する。
【００３４】
ＩＲセンサ１３１は、例えば、検出感度が２〜５μｍの短波長用のＰｔＳｉタイプやＩｎＳｂタイプ、０．９〜１．７μｍの近赤外線用のＩｎＧａＡｓタイプ、８〜１４μｍの長波長用のＭＣＴタイプ、８〜９．２μｍの長波長用のＱＷＩＰタイプ、８〜１４μｍの長波長用のマイクロボロメータタイプやフェロエレクトリックタイプ、等からなる。
【００３５】
ただし、このＩＲセンサ１３１は、所定特性の光学フィルタ１３４が装着されることにより、着火された紙巻タバコＰＴの燃焼温度に検出感度が対応している。ドライバ回路１３２は、ＩＲセンサ１３１の出力信号から紙巻タバコＰＴの燃焼温度に対応した温度分布画像を生成する。画像処理部１３３は、ドライバ回路１３２が出力する温度分布画像から特定温度を検出する。
【００３６】
図３に示すように、商品ＩＤデータは、紙巻タバコＰＴのタバコパックＴＰに表記されている商品バーコードＴＢに記録されている。そこで、商品読取部１７０は、上述のように喫煙スペースＳＳの座席ＰＳごとに設置されているバーコードリーダ１７１で、タバコパックＴＰから商品バーコードＴＢを読取走査する。
【００３７】
喫煙スペースＳＳのバックヤードにはデータベースサーバ１０１が設置されており、上述のＩＲセンサ１３１と複数のディスプレイデバイス１２１と複数のバーコードリーダ１７１とがデータベースサーバ１０１に接続されている。
【００３８】
データベースサーバ１０１は適正なコンピュータプログラムが実装されている。このコンピュータプログラムに対応してデータベースサーバ１０１が各種の処理動作を実行することにより、上述の各部１１０〜１７０等が論理的に実現されている。
【００３９】
コンテンツ記憶部１１０は、データベースサーバ１０１がコンピュータプログラムに対応して認識する記憶エリアなどに相当する。コンテンツ出力部１２０は、データベースサーバ１０１がコンピュータプログラムに対応してディスプレイデバイス１２１を動作制御する機能などに相当する。
【００４０】
サーモグラフィ１３０は、ＩＲセンサ１３１が出力する温度分布画像を、データベースサーバ１０１がコンピュータプログラムに対応して画像認識する機能などに相当する。出力制御部１４０は、データベースサーバ１０１がＩＲセンサ１３１の出力データとコンピュータプログラムとに対応して、ディスプレイデバイス１２１に出力させるデジタルコンテンツＤＣを選択する機能などに相当する。
【００４１】
この出力制御部１４０は、詳細には後述するが、特定温度の検出時間を測定し、測定された検出時間と取得された商品ＩＤデータとの組み合わせに対応してデジタルコンテンツＤＣをコンテンツ出力部１２０に出力させる。
【００４２】
また、出力制御部１４０は、特定温度の検出開始とデジタルコンテンツＤＣの出力開始とを連動させる。さらに、特定温度の検出終了に対応して出力するデジタルコンテンツＤＣを切り換えることで、特定温度の検出終了とデジタルコンテンツＤＣの出力終了も連動させる。また、この出力制御部１４０は、特定温度の検出時間を測定し、測定された検出時間にも対応してコンテンツ出力部１２０にデジタルコンテンツＤＣを出力させる。
【００４３】
上述のようなデータ処理システム１００のコンピュータプログラムは、例えば、喫煙スペースＳＳで紙巻タバコＰＴの商品ＩＤデータを取得する商品読取処理と、複数種類の商品ＩＤデータごとにデジタルコンテンツＤＣを記憶するコンテンツ記憶処理と、喫煙スペースＳＳにデジタルコンテンツＤＣを出力するコンテンツ出力処理と、喫煙スペースＳＳで一般消費者に消費される紙巻タバコＰＴの特定温度を検出する温度検出処理と、取得された商品ＩＤデータに対応したデジタルコンテンツＤＣを特定温度の検出に対応してコンテンツ出力処理に出力させる出力制御処理と、取得された商品ＩＤデータごとに特定温度の検出時間を測定して集計する時間集計処理と、をデータベースサーバ１０１に実行させるように記述されている。
【００４４】
上述のような構成において、本実施の形態のデータ処理システム１００は、一般消費者による喫煙スペースＳＳの利用を促進するため、喫煙スペースＳＳを利用する一般消費者にデジタルコンテンツＤＣを提供する。
【００４５】
より詳細には、本実施の形態のデータ処理システム１００は、デジタルコンテンツＤＣとして、例えば、常時出力コンテンツ、特定コンテンツ、終了直後コンテンツ、が登録されている。
【００４６】
常時出力コンテンツは、例えば、喫煙スペースＳＳの利用方法の案内ガイダンスなどからなり、一般消費者の有無などに関係なく常時出力される。特定コンテンツは、一般消費者の喫煙中のみ提供されるビデオゲームなどからなる。
【００４７】
ただし、特定コンテンツは、タバコパックＴＰの商品ＩＤデータごとの複数種類と、タバコパックＴＰの商品ＩＤデータに対応しない少なくとも一つと、が用意されている。
【００４８】
終了直後コンテンツは、次回の喫煙スペースＳＳの利用の案内ガイダンスなどからなり、喫煙終了にリアルタイムに連動して出力される。また、終了直後コンテンツは、例えば、タバコパックＴＰの商品ＩＤデータと特定温度の検出時間との組み合わせごとに複数種類が用意されている。
【００４９】
上述のような各種のデジタルコンテンツＤＣが登録されているデータ処理システム１００は、ＩＲセンサ１３１により喫煙スペースＳＳの全部の座席ＰＳを常時撮像している。
【００５０】
このような状態で、図５に示すように、ディスプレイデバイス１２１には、例えば、「この喫煙スペースを利用される方は、お手持ちのタバコのバーコードをリーダに対向させてください」などのガイダンスメッセージが表記されている(ステップＳ１)。
【００５１】
そこで、座席ＰＳに着席した一般消費者が、所持しているタバコパックＴＰの商品バーコードＴＢをバーコードリーダ１７１に光学読取させると、これで商品ＩＤデータがデータ処理システム１００に取得される(ステップＳ２−Ｙ)。
【００５２】
すると、その商品ＩＤデータに対応した特定コンテンツがデジタルコンテンツＤＣとして選択され(ステップＳ３)、図４に示すように、ディスプレイデバイス１２１に表示出力される(ステップＳ４)。
【００５３】
このような状態で、一般消費者がタバコパックＴＰから紙巻タバコＰＴを取り出して着火すると、その紙巻タバコＰＴの燃焼温度が特定温度としてＩＲセンサ１３１に検出される(ステップＳ５−Ｙ)。
【００５４】
上述のように商品ＩＤデータが取得されてから紙巻タバコＰＴの燃焼温度が検出されると(ステップＳ２〜Ｓ５)、前述のように表示出力されているデジタルコンテンツＤＣがリアルタイムに進行される(ステップＳ６)。
【００５５】
例えば、前述のようにデジタルコンテンツＤＣがリアルタイムのビデオゲームの場合、商品ＩＤデータが入力されても紙巻タバコＰＴが着火されていない状態では、図４(ａ)に示すように、初期状態としてビデオゲームの仮想空間でゲームキャラクタが休止している。
【００５６】
このとき、例えば、「タバコを喫煙すると活動します」などのガイダンスメッセージもディスプレイデバイス１２１に表示出力される。そこで、これを確認した一般消費者が紙巻タバコＰＴを着火すると、その燃焼温度が特定温度として検出されているときにデジタルコンテンツＤＣがリアルタイムに進行される。
【００５７】
このため、例えば、一般消費者が喫煙しているときにはビデオゲームの仮想空間でゲームキャラクタが行動する。そして、喫煙を完了した一般消費者が紙巻タバコＰＴを消火すると、これで特定温度の検出が終了する(ステップＳ８−Ｙ)。すると、例えば、特定コンテンツであるビデオゲームの出力が終了される(ステップＳ９)。
【００５８】
さらに、本実施の形態のデータ処理システム１００は、上述のように紙巻タバコＰＴの着火から消火までを燃焼温度の検出時間として測定する(ステップＳ７)。そして、上述のように紙巻タバコＰＴの消火が検出されると(ステップＳ８−Ｙ)、その測定された検出時間に対応した状態にデジタルコンテンツＤＣが出力される。
【００５９】
このため、例えば、一般消費者による喫煙時間の長短に対応して、デジタルコンテンツＤＣである特定コンテンツのゲームキャラクタによるエンディングが切り換えられる(ステップＳ９)。
【００６０】
さらに、上述のように喫煙終了に連動してデジタルコンテンツＤＣとして特定コンテンツの出力が終了されると、デジタルコンテンツＤＣとして終了直後コンテンツが出力される(ステップＳ１０)。
【００６１】
この終了直後コンテンツも、商品ＩＤデータと喫煙時間との組み合わせに対応して複数種類が用意されており、取得された商品ＩＤデータと測定された喫煙時間とに対応して一つが選択的に出力される。
【００６２】
この終了直前コンテンツは、例えば、訴求効果のある次回の特定コンテンツの広告や、商品ＩＤデータにより特定されたタバコ銘柄に対応した新製品のタバコ銘柄の広告、などからなる。
【００６３】
なお、一般消費者によっては、上述のように商品ＩＤデータを入力することなく紙巻タバコＰＴを喫煙することもある。この場合、商品ＩＤデータに対応しない特定コンテンツがデジタルコンテンツＤＣとして出力される(ステップＳ１１〜Ｓ１５)。
【００６４】
そして、上述のように喫煙時間が検出されると、これが取得された商品ＩＤデータごとに集計される(ステップＳ１６)。なお、商品ＩＤデータが入力されなかった場合には、喫煙時間は集計されない。
【００６５】
そして、本実施の形態のデータ処理システム１００では、上述のように商品ＩＤデータごとに集計された喫煙時間が、例えば、図７に示すように、バーグラフの表示画像などとして出力される。
【００６６】
本実施の形態のデータ処理システム１００では、上述のように喫煙スペースＳＳで一般消費者の紙巻タバコＰＴから商品読取部１７０で商品ＩＤデータを取得するとともに、喫煙スペースＳＳで一般消費者に消費される紙巻タバコＰＴの特定温度をサーモグラフィ１３０で検出する。
【００６７】
ただし、コンテンツ記憶部１１０には複数種類の商品ＩＤデータごとにデジタルコンテンツＤＣが記憶されており、取得された商品ＩＤデータに対応したデジタルコンテンツＤＣを特定温度の検出に対応して出力制御部１４０がコンテンツ出力部１２０に出力させる。
【００６８】
このため、一般消費者により喫煙スペースＳＳで紙巻タバコＰＴが喫煙されるときに、そのタバコ銘柄に対応したデジタルコンテンツＤＣを喫煙行為に連動して出力することができる。従って、一般消費者に紙巻タバコＰＴごとの所定サービスを喫煙スペースＳＳでの消費行為ごとに効果的に提供することができる。
【００６９】
特に、図６に示すように、商品ＩＤデータの入力に対応してデジタルコンテンツＤＣの出力を開始し、そのデジタルコンテンツＤＣを喫煙行為の検出に対応して進行させる。このため、タバコ銘柄と喫煙行為とに対応して、極めて訴求効果のあるデジタルコンテンツＤＣを提供することができる。
【００７０】
しかも、一般消費者が紙巻タバコＰＴの喫煙を終了すると、これに連動してタバコ銘柄に対応したデジタルコンテンツＤＣの出力を終了させる。従って、喫煙の終了に対応してデジタルコンテンツＤＣの訴求効果を向上させることができる。
【００７１】
特に、紙巻タバコＰＴの燃焼温度の検出時間を測定し、入力された商品ＩＤデータと測定された検出時間との組み合わせに対応してデジタルコンテンツＤＣを出力する。このため、一般消費者が紙巻タバコＰＴの喫煙を終了したときに、そのタバコ銘柄に対応したデジタルコンテンツＤＣの訴求効果を、さらに向上させることができる。
【００７２】
それでいて、商品ＩＤデータが入力されることなく紙巻タバコＰＴの喫煙行為を検出したときは、タバコ銘柄に対応しないデジタルコンテンツＤＣを提供する。このため、商品ＩＤデータを入力しない一般消費者にも所定サービスを提供することができる。
【００７３】
しかも、本実施の形態のデータ処理システム１００では、前述のように商品ＩＤデータごとに喫煙時間が集計されて出力される。このため、図７に示すように、紙巻タバコＰＴの、受注時点、生産時点、出荷時点、販売時点、等ではデータ収集できない、タバコ銘柄ごとの喫煙時間を調査することができ、新製品の開発に利用することができる。
【００７４】
さらに、本実施の形態のデータ処理システム１００では、ＩＲセンサ１３１は、紙巻タバコＰＴの燃焼温度に検出感度が対応している。このため、背景輻射などを誤検出することなく、一般消費者の喫煙行為に対応してデジタルコンテンツＤＣを的確に提供することができる。しかも、上述のような検出感度のＩＲセンサ１３１としては、前述のように各種タイプのデバイスを利用することができ、その方式を限定する必要がない。
【００７５】
なお、本発明は本実施の形態に限定されるものではなく、その要旨を逸脱しない範囲で各種の変形を許容する。例えば、上記形態では消費により特定温度を発生する特定消費商品が紙巻タバコＰＴからなることを例示した。しかし、このような特定消費商品が加温や加冷されている缶詰飲料などでもよい（図示せず）。
【００７６】
また、上記形態ではタバコパックＴＰとの差異を明確とするため、実際に喫煙されるタバコを紙巻タバコＰＴと称呼した。しかし、この喫煙される特定消費商品が、いわゆる葉巻でもよい(図示せず)。
【００７７】
さらに、上記形態では説明を簡単とするため、複数種類のタバコパックＴＰの商品ＩＤデータと複数種類のデジタルコンテンツＤＣとが一対一に対応していることを例示した。
【００７８】
しかし、複数種類のタバコパックＴＰの商品ＩＤデータと複数種類のデジタルコンテンツＤＣとが、一対多に対応していてもよく、タバコパックＴＰの複数の区分ごとに一対一や一対多のデジタルコンテンツＤＣが対応していてもよい。
【００７９】
このように商品ＩＤデータとデジタルコンテンツＤＣとが一対多に対応しているときには、その商品ＩＤデータが入力されたときに複数のデジタルコンテンツＤＣの選択メニューを表示出力し、一般消費者に所望のデジタルコンテンツＤＣを選択させることがよい(図示せず)。この場合、喫煙スペースＳＳを頻繁に利用する一般消費者に、さらに良好にサービスを提供することができる。
【００８０】
また、上記形態では商品ＩＤデータに対応して特定コンテンツがデジタルコンテンツＤＣとして直接的に選択されて出力され、測定された喫煙時間に対応して終了直後コンテンツがデジタルコンテンツＤＣとして直接的に選択されて出力されることを例示した。
【００８１】
しかし、コンテンツ記憶部１１０が、出力時間が相違する複数のデジタルコンテンツＤＣを記憶しており、出力制御部１４０は、集計された検出時間に対応した出力時間のデジタルコンテンツＤＣを選択的にコンテンツ出力部１２０に出力させることで、商品ＩＤデータに対応して間接的にデジタルコンテンツＤＣを選択してもよい(図示せず)。
【００８２】
この場合、一般消費者が特定の銘柄の紙巻タバコＰＴを喫煙すると、その銘柄の一般的な喫煙時間に対応したデジタルコンテンツＤＣが自動的に出力される。このため、その一般消費者に最適なデジタルコンテンツＤＣを自動的に提供することができる。
【００８３】
なお、このような場合でも、出力時間が共通する複数のデジタルコンテンツＤＣが選択されてメニュー表示され、そこから所望のデジタルコンテンツＤＣを一般消費者が選択してもよい。
【００８４】
さらに、上記形態では特定コンテンツであるビデオゲームがリアルタイムに進行しているときに、喫煙終了の検出タイミングで中断されることを想定した。しかし、このように特定コンテンツがビデオゲームからなる場合、喫煙終了の検出タイミングから所定状態まで進行させてから終了してもよい。この場合、進行中のビデオゲームが中途半端に中断されることがないので、一般消費者の不満を改善することができる。
【００８５】
また、上記形態ではデジタルコンテンツＤＣの一部である特定コンテンツがリアルタイムのビデオゲームなどからなることを想定した。しかし、特定コンテンツが再生される動画などからなってもよい。
【００８６】
このような特定コンテンツは、図８に示すように、例えば、一般的な喫煙時間に連続的に出力される短時間の複数の特定コンテンツからなってもよい。この場合、図８(ａ)に示すように、喫煙終了の検出タイミングと同時に短時間の特定コンテンツを中断してもよく、図８(ｂ)に示すように、喫煙終了の検出タイミングが発生すると短時間の特定コンテンツを最後まで出力してから終了してもよい。
【００８７】
なお、上述のように特定コンテンツを完了せずに中断するときには、いわゆるフェードアウトの手法で一般消費者の違和感を緩和してもよい(図示せず)。また、上述のように複数の短時間の特定コンテンツが連続的に出力される場合、当然ながら、その複数の特定コンテンツの出力時間は相違していてもよい。
【００８８】
さらに、このように複数の特定コンテンツの出力時間が相違している場合、例えば、図７に示すように、タバコ銘柄ごとに検出されている喫煙時間に対応して短時間の複数の特定コンテンツの出力順序を切り換えることにより、喫煙終了と特定コンテンツの出力終了とを略同期させるようなことも想定できる(図示せず)。
【００８９】
また、上記形態では特定消費商品であるタバコパックＴＰに商品ＩＤデータが商品バーコードＴＢとして記録されていることを例示した。しかし、特定消費商品であるタバコパックＴＰにＲＦＩＤチップが貼付されており、このＲＦＩＤチップに商品ＩＤデータが記録されており、データ処理システムがＲＦＩＤリーダで商品ＩＤデータを取得してもよい(図示せず)。
【００９０】
さらに、上記形態では一般消費者にデジタルコンテンツＤＣを的確に提供するために喫煙スペースＳＳにＩＲセンサ１３１を設置しておくことを例示した。しかし、このようなデータ処理システム１００が、ＩＲセンサ１３１が検出する特定温度により喫煙スペースＳＳでの火災発生を判定してもよい(図示せず)。
【００９１】
当然ながら、喫煙スペースＳＳには火災報知システムが必要である。つまり、上述のようなデータ処理システム１００は、火災報知システムのＩＲセンサ１３１を利用して一般消費者にデジタルコンテンツＤＣを的確に提供できることになる。
【００９２】
また、上記形態では紙巻タバコＰＴの燃焼温度のみ検出し、この検出に対応してデジタルコンテンツＤＣを出力することを例示した。しかし、紙巻タバコＰＴの複数の特定温度を検出し、その複数の特定温度ごとにデジタルコンテンツＤＣを出力してもよい(図示せず)。
【００９３】
例えば、紙巻タバコＰＴは、一般消費者による吸引の有無や、吸引の強度に対応して燃焼温度が変化する。そこで、この燃焼温度を複数段階に検出し、その複数の検出に対応してデジタルコンテンツＤＣを出力してもよい。
【００９４】
さらに、上記形態では喫煙スペースＳＳには一般消費者が自由に出入りできることを例示した。しかし、上述のようなタバコパックＴＰの確認により喫煙スペースＳＳへの入場を制限してもよい。
【００９５】
その場合、例えば、喫煙スペースＳＳの入口に電動ゲートとバーコードリーダを設置しておき(図示せず)、タバコパックＴＰの商品バーコードＴＢを確認できないと喫煙スペースＳＳへの入場を許可しないようなことができる(図示せず)。
【００９６】
当然ながら、喫煙スペースＳＳの一般消費者はタバコパックＴＰを所持しており、タバコパックＴＰを所持していない一般消費者が喫煙スペースＳＳに入場することはない。このため、適正な一般消費者は問題なく喫煙スペースＳＳに入場させることができる。
【００９７】
さらに、上記形態では紙巻タバコＰＴの燃焼温度の検出に対応してデジタルコンテンツＤＣを出力することを例示した。しかし、紙巻タバコＰＴの燃焼温度を検出日時とともに出力し、デジタルコンテンツＤＣの出力を検出日時にも対応して制御してもよい。この場合、平日と休日で相違するデジタルコンテンツＤＣを提供するようなことができる。
【００９８】
さらに、上記形態では喫煙スペースＳＳが建物に用意された一室からなることを例示した。しかし、喫煙スペースＳＳが、飲食店に用意された喫煙席、屋外に用意されたオープンスペース、等でもよい（図示せず）。
【００９９】
このように喫煙スペースＳＳが屋外に用意されている場合、例えば、複数の狭視野角のディスプレイデバイス１２１を設置しておき、ＩＲセンサ１３１の撮像画像により一般消費者を識別し、対応するディスプレイデバイス１２１でデジタルコンテンツＤＣを表示すればよい。
【０１００】
この場合、屋外のオープンスペースに設置されているディスプレイデバイス１２１は周囲から自由に視認されるが、このディスプレイデバイス１２１が狭視野角であるため、正面に相対する一般消費者でないとデジタルコンテンツＤＣの視認は困難である。このため、デジタルコンテンツＤＣを正当な一般消費者のみに提供することができる。
【０１０１】
さらに、視野角が下方に設定されているディスプレイデバイス１２１を上方に配置し、その表示画面を下側に傾斜させておくようなこともできる。この場合も、上方に位置するディスプレイデバイス１２１は周囲から自由に視認されるが、その下方に位置する一般消費者でないとデジタルコンテンツＤＣを視認することは困難である。
【０１０２】
なお、現在では視野角の方向を制御できるディスプレイデバイスもある(図示せず)。そこで、このようなコンテンツ出力部を屋外に設置しておき、ＩＲセンサ１３１の撮像画像により一般消費者が識別されたときに、その方向にディスプレイデバイスの視野角を制御してデジタルコンテンツＤＣを提供してもよい。
【０１０３】
また、上記形態ではディスプレイデバイス１２１が狭視野角ディスプレイからなり、一対一に対応する座席ＰＳの一般消費者のみにデジタルコンテンツＤＣを提供することを例示した。
【０１０４】
しかし、ディスプレイデバイス１２１が、複数のデジタルコンテンツＤＣを各々所定の視野角で複数方向に出力するマルチビューディスプレイからなり、相互に対応している座席ＰＳとディスプレイデバイス１２１とは、ディスプレイデバイス１２１の複数の視野角の各々に座席ＰＳが配置されているとともに、座席ＰＳに着席した一般消費者の視認範囲にディスプレイデバイス１２１が配置されていてもよい(図示せず)。
【０１０５】
上述のようなディスプレイデバイス１２１は、複数方向に相違するデジタルコンテンツＤＣを同時に出力することができる。このため、一個のディスプレイデバイス１２１で複数の一般消費者に個々にデジタルコンテンツＤＣを提供することができる。
【０１０６】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１０７】
【図１】本発明の実施の形態のデータ処理システムの論理構造を示す模式的なブロック図である。
【図２】データ処理システムの物理構造を示す模式的なブロック図である。
【図３】特定消費商品であるタバコパックの外観を示す斜視図である。
【図４】ディスプレイデバイスにデジタルコンテンツが表示出力されている状態を示す模式的な正面図である。
【図５】データ処理システムの処理動作を示すフローチャートである。
【図６】デジタルコンテンツの出力形態を示す模式図である。
【図７】喫煙時間の集計結果の表示画像を示す模式的なタイムチャートである。
【図８】デジタルコンテンツの一部である特定コンテンツの出力形態を示す模式的なタイムチャートである。
【符号の説明】
【０１０８】
１００    データ処理システム
１０１    データベースサーバ
１１０    コンテンツ記憶部
１２０    コンテンツ出力部
１２１    ディスプレイデバイス
１３０    サーモグラフィ
１３１    ＩＲセンサ
１３２    ドライバ回路
１３３    画像処理部
１３４    光学フィルタ
１４０    出力制御部
１５０    時間集計部
１７０    商品読取部
１７１    バーコードリーダ
ＤＣ    デジタルコンテンツ
ＰＳ    座席
ＰＴ    紙巻タバコ
ＳＳ    喫煙スペース
ＴＢ    商品バーコード
ＴＰ    タバコパック
【図１】
0004980860.tif 000002
【図２】
0004980860.tif 000003
【図３】
0004980860.tif 000004
【図４】
0004980860.tif 000005
【図５】
0004980860.tif 000006
【図６】
0004980860.tif 000007
【図７】
0004980860.tif 000008
【図８】
0004980860.tif 000009